(57)【特許請求の範囲】
【請求項１】
磁気誘導された視覚効果を生成するための装置であって、
配向可能な磁性粒子を含むコーティング組成物を用いて、基板の第１の面に画像を印刷するように構成された印刷ユニットと、
前記印刷された画像の前記コーティング組成物において前記磁性粒子を配向させるための、少なくとも１つの磁界発生素子を備える配向手段と、
前記配向手段と接触している前記基板の第２の面を保持するように構成される基板案内システムと、
前記基板の前記第１の面に印刷された前記画像を照射して、前記画像の前記コーティング組成物を硬化させるが、前記基板の前記第２の面は依然として前記配向手段に接触するように、前記配向手段に対して構成された放射源を備える光硬化ユニットと
を備え、
前記放射源が、
−発光ダイオード（ＬＥＤ）可視光ランプもしくは発光ダイオード（ＬＥＤ）紫外線ランプ、または、
−前記紫外線ランプの放射を円筒形本体に向けて導いて、前記基板の前記第１の面に印刷された前記画像を照射するための導波管であって、前記基板の前記第２の面が前記円筒形本体に接触している、前記導波管を備える紫外線ランプ、または、
−紫外線スペクトル波長に対応する紫外線ランプの放射を前記基板に向けて導き、赤外線スペクトル波長に対応する前記放射源の放射を前記基板から逸れるように導く、少なくとも１つのダイクロイック反射器を備える紫外線ランプを備え、
前記光硬化ユニットは、前記配向手段およびその少なくとも１つの磁界発生素子を、１００℃を超える平均温度（Ｔ１）まで加熱しないよう、前記配向手段に向かうその熱放射エネルギーの放出が制限されるように構成されることを特徴とする、装置。
【請求項２】
導波管を備える前記紫外線ランプ、ダイクロイック反射器を備える前記紫外線ランプが、それぞれ水銀ランプである、請求項１に記載の装置。
【請求項３】
前記光硬化ユニットは、前記配向手段およびその少なくとも１つの磁界発生素子を、７０℃を超える平均温度（Ｔ１）まで加熱しないよう、前記配向手段に向かうその熱放射エネルギーの放出が制限されるようにさらに構成される、請求項１または２に記載の装置。
【請求項４】
前記配向手段が、少なくとも１つの磁界発生素子を備える円筒形本体である、請求項１〜３のいずれか一項に記載の装置。
【請求項５】
前記基板案内システムが、グリッパおよび／または真空システムを備える、請求項１〜４のいずれか一項に記載の装置。
【請求項６】
磁気誘導された視覚効果を生成するためのシステムであって、
請求項１〜５のいずれか一項に記載の装置と、
配向可能な磁性粒子を含むコーティング組成物と
を備えるシステム。
【請求項７】
磁気誘導された視覚効果を生成するための方法であって、
配向可能な磁性粒子を含むコーティング組成物を用いて、基板の第１の面に画像を印刷するステップと、
磁界を生成する配向手段と接触する、前記基板の第２の面を保持するステップと、
前記配向手段の前記磁界により、前記印刷された画像の前記コーティング組成物内の前記磁性粒子を配向させるステップと、
放射源を備える硬化ユニットによって前記画像を照射して、前記配向された磁性粒子を含む前記コーティング組成物を少なくとも部分的に硬化させるが、前記基板の前記第２の面が依然として円筒形本体に接触しているステップと
を含み、
−発光ダイオード（ＬＥＤ）可視光ランプもしくは発光ダイオード（ＬＥＤ）紫外線ランプ、または、
−前記紫外線ランプの放射を前記円筒形本体に向けて導いて、前記基板の前記第１の面に印刷された前記画像を照射する導波管であって、前記基板の前記第２の面が前記円筒形本体と接触している、前記導波管を備える紫外線ランプ、または、
−紫外線スペクトル波長に対応する紫外線ランプの放射を前記基板に向けて導き、赤外線スペクトル波長に対応する前記放射源の放射を前記基板から逸れるように導く、少なくとも１つのダイクロイック反射器を備える紫外線ランプを備えるように前記放射源を選択するステップと、
前記配向手段に向かう光硬化ユニットの熱放射エネルギーの放出が、前記配向手段を、１００℃を超える平均温度まで加熱しないよう制限されるように、前記光硬化ユニットを構成するステップと
を特徴とする、方法。
【請求項８】
導波管を備える前記紫外線ランプ、ダイクロイック反射器を備える前記紫外線ランプが、それぞれ水銀ランプである、請求項７に記載の方法。
【請求項９】
硬化ユニットによって前記画像を照射することにより、前記配向された磁性粒子を含む前記コーティング組成物が完全に光硬化されるが、前記基板の前記第２の面が依然として前記円筒形本体に接触している、請求項７または８に記載の方法。
【請求項１０】
前記画像を照射するステップの開始後のある時刻（ｔ２）において、前記配向手段から前記基板を取り出すステップをさらに含む、請求項７〜９のいずれか一項に記載の方法。
【請求項１１】
前記基板が前記配向手段から取り出される前記時刻（ｔ２）の前またはそれと同時の時刻（ｔ３）において、前記印刷された画像の前記照射が停止される、請求項１０に記載の方法。
【請求項１２】
前記基板が前記配向手段から取り出される前記時刻（ｔ２）の後の時刻（ｔ３）において、前記印刷された画像の前記照射が停止される、請求項１０に記載の方法。
【請求項１３】
前記磁気誘導された画像が、銀行券もしくは他の文書を保護するためのセキュリティ要素、または物品を飾るための装飾要素である、請求項７〜１２のいずれか一項に記載の方法。
【請求項１４】
前記コーティング組成物が、反射性および／または板状の、少なくとも１つのタイプの配向可能な磁性粒子を含む、請求項７〜１３のいずれか一項に記載の方法。
【請求項１５】
前記配向可能な磁性粒子が光学的に可変の粒子である、請求項１４に記載の方法。
【請求項１６】
前記コーティング組成物がさらに、
−非カラー・シフト磁性粒子と、
−無色の磁性粒子と、
−カラー・シフト非磁性顔料粒子と、
−非カラー・シフト非磁性顔料粒子と、
−無色の非磁性顔料粒子と
のうちの少なくとも１つを含む、請求項１４または１５に記載の方法。
【発明の詳細な説明】
【技術分野】
【０００１】
本発明は一般に、銀行券および貴重な文書または物品を保護するためのセキュリティ要素の分野に関し、詳細には、配向可能な磁性粒子を含むコーティングにおいて磁気誘導された視覚効果を生成するための装置、システムおよび方法に関する。
【背景技術】
【０００２】
成形組成物およびコーティング組成物内で磁性粒子を配向させるための様々な材料および技術が、たとえば、米国特許出願公開第２００５／０，１２３，７６４号明細書、米国特許第２，４１８，４７９号明細書、米国特許第２，５７０，８５６号明細書、国際公開第２０００／１２，６２２号パンフレット、欧州特許出願公開第Ａ−０，６８６，６７５号明細書、国際公開第２００８／１５３，６７９号パンフレット、米国特許出願公開第２００８／０，２９２，８６２号明細書、米国特許第５，３６４，６８９号明細書、米国特許出願公開第２００４／０，２５１，６５２号明細書、独国特許出願公開第Ａ−２，００６，８４８号明細書、米国特許第３，７９１，８６４号明細書、および国際公開第１９９８／５６，５９６号パンフレットに開示されてきた。
【０００３】
配向可能な磁性粒子はまた、特にセキュリティ機能または装飾機能を印刷するための印刷処理で使用される。具体的には、特別な視覚効果およびカラー・シフト効果を生成するために、光学的に可変の板状磁性粒子を使用することが開示されてきた。それらを生成するのに利用される装置および技術が知られており、これらの装置および技術は、たとえば、欧州特許第Ｂ−１，６４１，６２４号明細書、欧州特許第Ｂ−１，８１９，５２５号明細書、欧州特許第Ｂ−１，９３７，４１５号明細書、欧州特許出願公開第Ａ−１，８８０，８６６号明細書、欧州特許第Ｂ−２，０２４，４５１号明細書、国際公開第２０１０／０６６，８３８号パンフレット、米国特許第６，７５９，０９７号明細書、国際公開第２００２／０９０，００２号パンフレット、および国際公開第２００４／００７，０９５号パンフレットに記載されている。
【０００４】
配向可能な磁性粒子を含むコーティングを塗布すること、およびこれらの磁性粒子の配向に基づいて視覚効果を生成することは、通常、以下の一連の個別ステップ、すなわち、
ａ）配向可能な磁性粒子を含むコーティングを基板上に塗布するステップであって、コーティング材料が液状であるか、または低粘度を有する必要があるステップと、
ｂ）外部磁気デバイスによって生成される磁界にコーティングを露出させることにより、磁性粒子を配向させるステップと、
ｃ）コーティングの粘度を上げることより、磁性粒子の配向を固定化するステップと
に従って進行する。
【０００５】
ステップｃ）は、コーティングを硬化させるステップを含む。このステップは、当業者には知られているように、たとえば、物理的乾燥（溶媒の蒸発）、紫外線硬化、電子ビーム硬化、ヒートセット、酸化重合、これらの組合せ、または他の硬化機構によって実行することができる。この硬化機構は、コーティング材料に依存する。たとえば、米国特許第Ｂ−７，６９１，４６８号明細書には、セキュリティ機能向けに使用されるインクが記載されており、これらの機能は、インクの組成に応じて熱風または紫外線硬化のいずれかによって乾燥させる。
【０００６】
（乾燥の前後での）コーティングの粘度および層の厚さが、磁性粒子の配向にとって重要なパラメータである。実現可能な最良の効果を達成するには、硬化ステップが完了するまで磁性粒子の配向を保持することが不可欠である。印刷プロセスにおいては、板状の磁性粒子の配向を保持することにより、実現可能な最良の画像の鮮明さおよび実現可能な最良の総合的な視覚効果が確実に実現する。
【０００７】
米国特許出願公開第Ａ−２，８２９，８６２号明細書は、外部磁石を取り外した後に磁性粒子が再配向することを防止するために、キャリア材料の粘弾性特性の重要性を教示している。
【０００８】
欧州特許第Ｂ−２，０２４，４５１号明細書には、乾燥プロセス中にコーティングされた層の量を変化させることによって最終パターンに影響を及ぼすことにより、コーティング・キャリアのタイプがプロセスにおいて決定的な役割を演じていること、物理的な乾燥プロセスでは、溶媒が蒸発するにつれて前記キャリアの量が低減する傾向にあること、この収縮によりフレーク（ｆｌａｋｅ）の配向に著しい影響を与える可能性があること、紫外線プロセスによって硬化されたキャリアはそれほど収縮する傾向にはなく、したがって板状磁性粒子の元の配向を保持することが教示してある。
【０００９】
さらに、基板のタイプおよびコーティング組成物の粘度が、濡れたコーティング組成物の基板による吸収、したがって層の厚さに影響を及ぼすことがある。したがって、欧州特許第２，０２４，４５１号明細書には、配向可能な板状磁性粒子を含むコーティング組成物を使用する際の、層の厚さの重大な役割が開示されている。国際公開第２０１０／０５８，０２６号パンフレットには、磁性粒子を含むインク・ビヒクルの多孔質基板による吸収を低減させるために、下塗層を使用することの利点が開示してある。
【００１０】
硬化プロセス中に磁界内でコーティングを保持することにより、磁性粒子の配向を保持することができる。たとえば、米国特許第Ａ−２，５７０，８５６号明細書には、磁性粒子を含むコーティングを形成するためのプロセスが教示されている。コーティングされた基板は、十分に乾燥して磁性粒子が再配向することなく磁界から取り外されるまで、磁界内に保持される。類似のプロセスが、国際公開第２００８／１５３，６７９号パンフレットおよび米国特許第２，４１８，４７９号明細書に開示されている。
【００１１】
しかし、前述のこれら文書の全ては、印刷用途に適していないプロセス、または工業印刷用途に求められる処理スピードをはるかに下回る速度で実行されるプロセスのいずれかを単に説明するだけである。
【００１２】
国際公開第Ａ−１９９８／５６，５９６号明細書には、高分子基板に何らかの透かしを生成するための方法が開示してあり、この方法は、磁性粒子を配向させる前に基板を熱処理することを含む。次いで、組成物を最終的に冷却することにより、磁性粒子の配向が凝固することになる。
【００１３】
国際公開第Ａ−２００４／００７，０９５号明細書には、細長い薄板である基板上にセキュリティ機能を工業的に印刷するためのツールが開示されている。この装置は、磁性素子を担持するシリンダ、および、磁性シリンダの直後またはその上に配置された拡散乾燥用エネルギー源を備える。乾燥エネルギーは、熱エネルギーおよび／または光化学エネルギーでもよい。しかし、この装置にはいくつかの欠点が見られる。すなわち、
【００１４】
（ａ）一方では、この装置が枚葉給紙プロセス用に使用されるとき、たとえば、シリンダ上でシートがずれ、滑り、曲がり、または波打って、シリンダから離れる際にシートの端が浮くことなど、特にシートの端において様々な機械的な問題が発生することがある。また、ツールの硬化装置は、これらの問題を解決しないし、枚葉給紙プロセスにおいてこれらの問題にどのように取り組むべきかを説明していない。
（ｂ）他方では、硬化装置に関連する様々な問題が発生することがある。具体的には、
−達成すべき視覚効果に従って磁性粒子を最適に位置合わせする前に、硬化装置の拡散エネルギー源によってコーティングが十分に乾燥しないこともある。
−磁性シリンダ本体の上方にある拡散硬化エネルギー源が放出する熱から生じることがある、硬化プロセスの熱的な側面、および、たとえばコーティング組成物への効果などが問題を引き可能性がある。具体的には、熱により、コーティング組成物の粘度が低下し、したがって基板がコーティング組成物を吸収するのを助長することがある。したがって、エネルギー源が放出する熱は、磁性粒子の配向を乱し、したがって達成すべき視覚効果を乱すことがある。
−熱により、紙の水分含有量が低減し、したがって基板の寸法が変化し、したがって位置合わせの問題につながる。この影響は、紙基板および枚葉給紙プロセスで特に重要である。
−熱により、印刷機械の何らかの機械的な構成要素が膨張し、したがって位置合わせの問題またはミスアライメントの問題が生じることがある。
−熱エネルギーにより、磁界発生素子の特性が変化することがある。磁性材料の特性は、温度によって変化することが知られている。すなわち、強磁性およびフェリ磁性の材料での磁区のアラインメントは、温度が上昇するにつれて低下する。磁性材料は、キュリー温度と呼ばれる臨界温度まで過熱されると常磁性になる。キュリー温度は、材料に依存するパラメータである。
【発明の概要】
【発明が解決しようとする課題】
【００１５】
したがって、特にセキュリティ機能または装飾機能向けの磁気誘導された視覚効果を生成する改良された方式が必要であり、これにより前述の欠点を軽減し、または回避することさえある。
【課題を解決するための手段】
【００１６】
したがって、本発明は、配向可能な磁性粒子を含むコーティングにおいて磁気誘導された視覚効果生成するための装置、システム、および方法に関する。具体的には、本発明は、配向可能な磁性粒子を含むセキュリティ機能または装飾機能の、工業印刷機械での印刷および硬化に関する。具体的には、印刷機械は枚葉給紙タイプでもよい。
【００１７】
本発明の第１の態様によれば、請求項１による磁気誘導された視覚効果を生成するための装置が提供される。
【００１８】
この装置は、印刷ユニット、配向手段、基板案内システム、および光硬化ユニットを備える。印刷ユニットは、配向可能な磁性粒子を含むコーティング組成物を用いて、基板の第１の面に画像を印刷するように構成される。配向手段は、印刷された画像のコーティング組成物において磁性粒子を配向させるための、少なくとも１つの磁界発生素子を備える。基板案内システムは、配向手段と接触している基板の第２の面を移動させて保持するように構成される。光硬化ユニットは、基板の第１の面に印刷された画像を照射して、画像のコーティング組成物を少なくとも部分的に硬化させるが、基板の第２の面は依然として配向手段に接触するように、配向手段に対して構成された放射源を備える。光硬化ユニットは、配向手段およびその少なくとも１つの磁界発生素子を、１００℃を超える平均温度Ｔ１まで加熱しないよう、その熱放射エネルギーの放出が制限されるように構成される。この構成により、基板、印刷された画像、および装置自体への前述の悪影響を、実質的に低減または回避することができる。
【００１９】
本発明の第２の態様によれば、磁気誘導された視覚効果を生成するためのシステムが提供される。このシステムは、本発明の第１の態様による装置、および配向可能な磁性粒子を含むコーティング組成物を備える。
【００２０】
本発明の第３の態様では、磁気誘導された視覚効果を生成するための方法が提供される。
【００２１】
本発明の好ましい実施形態が、従属クレームに提示される。
【００２２】
添付図面は、本明細書に組み込まれ、その一部分を構成しており、本発明のある種の態様を示しているが、本発明をそれらに限定するものではない。具体的には、各図には、少なくとも１つの磁界発生素子を備える円筒形本体の形で配向手段が提供され、基板が、１枚の紙、ポリマー、または複合材の基板など薄く細長い基板である、いくつかの実施形態が示してある。
【００２３】
図１〜３には、本発明の実施形態による、磁性シリンダ本体、硬化ユニット、および上部に塗布されたコーティング組成物の画像を有する薄く細長い基板（シート）を示す概略断面図が示してある。具体的には以下の通りである。
【図面の簡単な説明】
【００２４】
【図１】光硬化ユニットが紫外線ＬＥＤランプを備える一実施形態を示す。
【図２】光硬化ユニットが、ダイクロイック・フィルタを装着した紫外線ランプを備える一実施形態を示す。
【図３】光硬化ユニットが、導波管を装着した紫外線ランプを備える一実施形態を示す。
【図４ａ】本発明の実施形態による、磁気誘導された視覚効果を生成するプロセスのある段階の相対的なタイミングの変化を示す図である。
【図４ｂ】本発明の実施形態による、磁気誘導された視覚効果を生成するプロセスの別の段階の相対的なタイミングの変化を示す図である。
【図４ｃ】本発明の実施形態による、磁気誘導された視覚効果を生成するプロセスの更に別の段階の相対的なタイミングの変化を示す図である。
【図５】基板案内システムが１組のローラを備える、本発明の一実施形態の概略図である。
【図６】基板案内システムが１組のブラシを備える、本発明の代替実施形態の概略図である。
【発明を実施するための形態】
【００２５】
図１から図４ａ〜４ｃには、本発明の好ましい実施形態が示してあり、配向可能な磁性粒子に基づいてセキュリティ機能および装飾機能を印刷し硬化させることにより、磁気誘導された視覚効果を生成するための装置が、磁性シリンダ上に配置された光硬化ユニットを備える。図５および６には、磁性シリンダに密に接触してコーティング組成物を担持する基板（シート）を保持する基板案内システムの様々な好ましい実施形態が示してある。
【００２６】
ここで、「磁性シリンダ」という用語は、磁性粒子の配向を可能にして視覚効果を生成する、少なくとも１つの磁界発生素子をもつシリンダ本体を指す。このような磁界発生素子は、たとえば、欧州特許第１，６４１，６２４号明細書、欧州特許第１，９３７，４１５号明細書、米国特許出願公開第２０１０／０，０４０，８４５号明細書、または国際公開第２００４／００７，０９５号パンフレットに記載されてきた。
【００２７】
磁性粒子を配向させるのに使用される１つまたは複数の磁界発生素子は、たとえば、ネオジミウム鉄ボロン、サマリウムコバルト、アルミニウムニッケルコバルト（アルニコ）合金、フェライト、または、磁性箔もしくはプラストフェライトなどの高分子結合磁石など、広範囲の磁性材料から組み立ててもよいが、それらには限定されない。このような材料は、たとえば、Ｍａｕｒｅｒ  Ｍａｇｎｅｔｉｃ  ＡＧ社から市販されている。磁性材料用の商品カタログは通常、材料の最高使用温度を示している。最高使用温度は、材料に依存しており、材料のキュリー温度をはるかに下回っている。たとえばアルニコ合金においては、キュリー温度は約８５０℃であり、最高使用温度は約５００℃である。ハード・フェライトにおいては、キュリー温度は約４５０℃であり、最高使用温度は約２５０℃である（Ｍａｕｒｅｒ  Ｍａｇｎｅｔｉｃ  ＡＧのカタログ参照）。高分子結合磁性材料においては、最高使用温度は、やはりポリマー化合物それ自体に依存する。したがって、プラストフェライトにおける最高使用温度は、通常８０℃〜１００℃の範囲にある。
【００２８】
本発明によれば、磁性シリンダ本体の温度は、１００℃を超えないように制限され、好ましくは、磁界発生素子の磁性材料の最高使用温度に達することさえないように制限される。したがって、磁性シリンダ本体の平均温度は、１００℃未満、好ましくは７０℃未満、最も好ましくは５０℃未満でなければならない。これは、放射源を備える機器である光硬化ユニットを使用することによって達成され、このユニットは、装置の機械部品、この実施形態では具体的には磁性シリンダ本体および磁界発生素子を、１００℃を超える平均温度Ｔ１まで加熱しないよう、動作中のその熱放射エネルギーの放出が制限されるように構成される。より好ましくは、光硬化ユニットは、装置および磁界発生素子の機械部品の平均温度が、動作中に温度Ｔ１≦１００℃、またはより好ましくは温度Ｔ１≦７０℃、または最も好ましくは温度Ｔ１≦５０℃に維持できるように構成される。
【００２９】
したがって、光硬化ユニットは、温度の影響を受けやすい磁性材料と両立することが可能であり、たとえば、前記基板の水分含有量が減少することによる基板寸法の変化を回避することにより、また装置の機械部品の熱膨張を回避することにより、基板と磁界発生素子との位置合わせおよびミスアライメントの問題を防止する。
【００３０】
具体的には、光硬化ユニットは、図１に示すように、紫外線ランプ、好ましくは紫外線ＬＥＤランプを備えてもよい。図２に示すように、紫外線ランプには、紫外線スペクトル波長に対応する放射をコーティングされた基板に向けて導き、赤外線スペクトル波長に対応する放射をコーティングされた基板から逸らすよう導くように構成された少なくとも１つのダイクロイック反射器を備えてもよい。光硬化ユニットはまた、コーティングされた基板に向けて照射エネルギーを導く導波管を備えた紫外線ランプとして実装してもよい。
【００３１】
光硬化ユニットが、温度Ｔ１を超えて磁性シリンダを加熱するために磁性シリンダに向けてそれほど多くの熱エネルギーを放出しない場合、多数の非常に様々な紫外線および／または可視域の光源が、光硬化ユニットの放射源として適している。照射中にシリンダ本体の温度をＴ１未満に維持するために、光源は、たとえば、前述の何らかのダイクロイック反射器装置および／または何らかの導波管ユニットを必要とすることがある。
【００３２】
点光源、線光源、およびアレイ（「ランプのカーテン」）が、光硬化ユニットの放射源として適している。例としては、カーボン・アーク・ランプ、キセノン・アーク・ランプ、中圧、超高圧、高圧および低圧の水銀ランプ、場合によっては金属ハロゲン化ドープされた（金属ハロゲン・ランプ）、マイクロ波誘導金属蒸気ランプ、エキシマー・ランプ、超化学線蛍光管、蛍光ランプ、アルゴン白熱ランプ、電子フラッシュ・ライト、写真用フラッド・ランプ、ならびにレーザが挙げられる。ランプの例としては、たとえばＩＳＴ  ＭＥＴＺグループなどの紫外線ランプ供給業者から知られている。
【００３３】
好ましい光硬化ユニットは、ＬＥＤ（発光ダイオード）の可視光ランプもしくは紫外線ランプ、または導波管を装着した水銀ランプ、またはダイクロイック反射器を装着した水銀ランプを備え、少なくとも１つの前記ダイクロイック反射器が、紫外線スペクトル波長に対応する放射をコーティングされた基板に向けて導き、少なくとも１つの前記ダイクロイック反射器が、赤外線スペクトル波長に対応する放射をコーティングされた基板から逸らすように導く。最も好ましい光硬化ユニットは、たとえば、Ｐｈｏｓｅｏｎ  Ｔｅｃｈｎｏｌｏｇｙから供給されるＬＥＤ紫外線ランプである。ダイクロイック反射器の例としては、たとえばＩＳＴ  ＭＥＴＺグループなどの紫外線ランプ供給業者から知られている。
【００３４】
光硬化ユニットは、配向可能な板状磁性粒子を含むコーティング組成物を完全に硬化させるためか、または代替的に、基板が磁性シリンダから取り外されるとき、かつ／または取り外された後に、配向された磁性粒子が完全にもしくは部分的にその配向を失うことを防止するような粘度にまで、コーティング組成物をほんの部分的に硬化させるための、いずれかに使用してもよい。コーティング組成物をほんの部分的に硬化させる場合、この硬化は、このコーティング組成物に追加の熱処理および／または光化学処理を実行することにより、基板が磁性シリンダから取り外された後に完了する。
【００３５】
本明細書では、「配向可能な磁性粒子」という用語は、磁界内で配向させて、セキュリティ機能または装飾機能として使用される視覚効果を生成することができる粒子を指す。ここで「配向可能な磁性粒子」は、好ましくは磁性非球面粒子であり、より好ましくは磁性針状粒子であり、最も好ましくは磁性板状粒子である。
【００３６】
さらに、好ましい配向可能な磁性粒子は、やはり反射する粒子である。本明細書において、「反射性粒子」という用語は、高い反射率効果を生み出す粒子である。高い反射率を実現する粒子は、欧州特許第１，３０５，３７３号明細書または米国特許第７，４４９，２３９号明細書に記載されているように、可視スペクトルにわたって高い正反射率成分を有する。反射性粒子は、たとえば米国特許第４，３２１，０８７号明細書もしくは米国特許第６，９２９，６９０号明細書に記載されているように、具体的には金属製粒子であり、または反射性粒子は、たとえば米国特許第６，８３８，１６６号明細書に開示されているように、干渉性の多層板状粒子である。
【００３７】
本明細書では、「配向可能な反射性磁性粒子」という用語には、それだけには限定されないが、たとえば国際公開第２００３／０００，８０１号パンフレットもしくは国際公開第２００２／０９０，０２号パンフレットに開示されている、配向可能な光学的に可変の板状磁性粒子、または米国特許第６，８３８，１６６号明細書に開示されている配向可能な反射性磁性粒子が含まれる。
【００３８】
したがって、本発明によれば、好ましい配向可能な磁性粒子は、配向可能な反射性板状磁性粒子である。本発明の最も好ましい実施形態では、配向可能な反射性板状磁性粒子は、配向可能な光学的に可変の反射性板状磁性粒子である。
【００３９】
任意選択的に、本発明のコーティング組成物は、様々な配向可能な反射性磁性粒子の混合物を含んでもよく、より好ましくは、少なくとも１つのタイプの配向可能な光学的に可変の反射性板状磁性粒子を含む混合物を含んでもよい。本発明において使用される磁気インクは、たとえば国際公開第Ａ−２００３／０００，８０１号明細書または国際公開第０２／０７３，２５０号パンフレットで知られている。
【００４０】
任意選択的に、コーティング組成物はまた、配向可能な反射性磁性粒子に加えて、または様々な配向可能な反射性磁性粒子の混合物に加えて、色付きもしくは無色の磁性顔料粒子、光学的に可変の、または色付きもしくは無色の非磁性顔料粒子からなるグループから選択されるさらなる顔料粒子を含んでもよい。
【００４１】
コーティング組成物は、国際公開第２００７／１３１，８３３号パンフレット、または欧州特許第Ｂ−２，０２４，４５１号明細書に記載されているように配合してもよく、シルクスクリーン印刷、フレキソ印刷、またはグラビア印刷によって付着されることが好ましい。
【００４２】
磁性粒子の配向は、国際公開第２００４／００７，０９５号パンフレット、国際公開第２００５／００２，８６６号パンフレット、国際公開第２００８／００９，５６９号パンフレット、または国際公開第２００８／０４６，７０２号パンフレットで知られているように、それ相応に構成された磁界を加えることによって実行できることが好ましい。
【００４３】
図４ａ〜ｃに示すように、磁気誘導された視覚効果を生成するためのプロセスの順序は、以下のステップによって定義することができる。すなわち、
−時刻ｔ０以前：配向可能な磁性粒子を含むコーティング組成物を用いて、基板の第１の面に画像が印刷される。
−時刻ｔ０：印刷された画像（１０４）とは反対側の基板の面が、磁性素子（１０１）を備える配向手段と接触するように移動され、配向可能な磁性粒子を含むコーティング組成物が、依然として濡れている段階である。磁性粒子の配向は、時刻ｔ０に開始する。
−時刻ｔ１：光硬化ユニットによる、印刷された画像（１０４）の照射が開始する。ｔ０とｔ１の間の時間差は、セキュリティ機能または装飾機能などを作成するために磁性粒子の配向を実行するのに必要となる時間である。
−時刻ｔ２：ｔ２は、基板上に印刷された画像（１０４）が、配向ユニットすなわちここでは磁性シリンダ本体から解放される時刻として定義される。
−時刻ｔ３：基板上に印刷された画像が、照射域から離れる。時刻ｔ３は、時刻ｔ２の前でも、同時でも、または後でもよい。
【００４４】
光硬化ユニットは、具体的には、配向手段の上側、すなわち図示した実施形態では磁性シリンダの上に配置してもよい。ここで、光硬化ユニットが磁性シリンダの「上側」に配置されていることは、光硬化ユニットと磁性シリンダの相対位置が、コーティングされた基板上への印刷された画像の照射が時刻ｔ１からｔ３の間で発生するようになっていることを意味する。
【００４５】
図４ａ〜ｃでは、位置ｘ０は、基板（１０３）がシリンダ本体に直接接触するようになる位置に対応する横座標である。時刻ｔ０は、基板（１０３）上に印刷された所与の画像（１０４）が位置ｘ０にある瞬間である。
【００４６】
位置ｘ１は、基板が照射域に入る位置に対応する横座標である。時刻ｔ１は、前記印刷された画像が位置ｘ１に達する瞬間である。
【００４７】
位置ｘ２は、基板がシリンダ本体から解放される位置に対応する横座標である。時刻ｔ２は、前記印刷された画像（１０４）が位置ｘ２にある瞬間である。
【００４８】
位置ｘ３は、照射域が終了する位置に対応する横座標である。時刻ｔ３は、印刷された画像が位置ｘ３にある瞬間であり、これは印刷された画像が照射域を離れる時を意味する。
【００４９】
前記印刷された画像（１０４）の配向可能な磁性粒子は、座標ｘ０および時刻ｔ０において基板（１０３）がシリンダ本体（１００）に接触するようになるとき、磁界発生素子（１０１）によって配向が開始する。画像が時刻ｔ１において座標ｘ１に達するとき、配向可能な磁性粒子は、視覚機能の最適なアラインメントに従って配向され、光硬化ユニット（１０２）からの照射によって硬化が開始する。基板は、位置ｘ２に達すると、シリンダ本体（１００）から解放される。
【００５０】
位置ｘ３は、ｘ２に対して３つの異なる位置に配置してもよい。すなわち、ｘ３は、ｘ２の前（ｘ３（１）、図４ａ）、またはｘ２と同じ位置（ｘ３（２）、図４ｂ）、またはｘ２の後（ｘ３（３）、図４ｃ）のいずれかに配置される。それに応じて、時刻ｔ３は、装置の構成に応じて、時刻ｔ２に対して前、同時、または後でもよい。
【００５１】
本発明は、具体的には、コーティング組成物を吸収する傾向がある基板上への、配向可能な板状磁性粒子を含むコーティング組成物の印刷および硬化に有利である。図４ａ〜ｃに示すように、配向可能な板状磁性粒子が配向した直後に、コーティング組成物の部分的または完全な乾燥（硬化）を実行することができる。したがって、国際公開第２００４／００７，０９５号パンフレットに例示した最新技術のプロセスと比較して、本発明によるプロセスでの期間がはるかに短い場合には、コーティング組成物は濡れたままである。したがって、基板によるコーティング組成物の吸収を、強力に低減させることができる。
【００５２】
本明細書において、「基板案内システム」は、配向手段、すなわちここでは磁性シリンダと密接に接触している基板（たとえばシート）を保持する装置を指す。
【００５３】
既知の印刷機械では通常、基板は、逆圧シリンダによって様々な印刷シリンダと密接に接触して保持される。
【００５４】
しかし、配向可能な磁性粒子の印刷においては、基板表面上のインクが依然として濡れている間は、磁性シリンダに逆圧シリンダを使用することができないことがある。したがって、基板（シート）は、代わりにグリッパおよび／または真空システムによって、配向手段上で保持してもよい。具体的には、グリッパは、シートの前縁を保持し、シートが印刷機械のある部分から次の部分へと移動できるようにするという目的に適い、真空システムは、配向手段の表面に対してシートの表面を引っ張り、このシートの表面を真空システムにしっかりと位置合わせした状態で維持する働きをすることができる。それにもかかわらず、特に、基板がシートである場合にシートの後続端において、磁性シリンダへの基板（シート）の配置に関連するいくつかの機械的な問題が発生することがある。すなわち、シートは横方向もしくは基板が移動する方向にずれ、または滑ることがあり、またはシートはシリンダ上で折り重なることがあり、またはシートはシリンダ上に隆起を形成することがあり、またはシートは特にその縁部で浮くこともある。したがって、本発明のさらに好ましい実施形態によれば、基板案内システムは、グリッパおよび／もしくは真空システムに加えて、またはそれに代えて、ローラもしくは狭いローラでもよい１組のローラ（図５）、ブラシもしくは１組のブラシ（図６）、ベルトおよび／もしくは１組のベルト、刃もしくは１組の刃、または、ばねもしくは１組のばねなど、限定することなく、基板案内装置の他の部品を備えてもよい。
【００５５】
コーティングは、紙、不透明なまたは不透明にされたポリマー基板、および透明なポリマー基板を含め、広範囲の様々な基板に塗布することができる。本発明は、濡れたコーティング組成物を吸収する傾向にある基板を使用するとき、特に有利である。具体的には、本発明は、配向可能な板状磁性粒子を含むコーティング組成物を、銀行券または貴重な文書に使用される紙に印刷および硬化するのに使用されることが有利である。銀行券もしくは他の貴著な文書を保護するためのセキュリティ要素として、または物品を飾るための装飾要素として、特にコーティング内の磁気誘導された画像を使用することができる。
【図１】
0006014891.tif 000002
【図２】
0006014891.tif 000003
【図３】
0006014891.tif 000004
【図４ａ】
0006014891.tif 000005
【図４ｂ】
0006014891.tif 000006
【図４ｃ】
0006014891.tif 000007
【図５】
0006014891.tif 000008
【図６】
0006014891.tif 000009